(57)【要約】【課題】支持ベースに植物や小魚を育成することができるという新たな機能を付加し、美観の向上と宣伝効果の向上にも寄与することができる支柱の支持ベースを提供する。【解決手段】上面が開放する容器に形成された支持ベース本体２の内部に、下端部を挿入した支柱５を起立状に保持するための支柱支持筒６を立設し、上記支持ベース本体２の内部に支持筒６の補強リブを設け、この補強リブで複数に区切った支持ベース本体２の内部空間に土や水を充填することで、支柱５の支持に必要となる重量を確保する。【選択図】  図１
2004191470.tif 000002
【特許請求の範囲】
【請求項１】
上面が開放する容器に形成された支持ベース本体の内部に、下端部を挿入した支柱を起立状に保持するための支柱支持筒を立設し、上記支持ベース本体の内部に支持筒の補強リブを設け、この補強リブで支持ベース本体の内部空間を複数に区切った支柱の支持ベース。
【請求項２】
下端部を挿入した支柱を起立状に保持するための支柱支持筒を有する支持ベース本体が、複数の分割された支持ベース単体の集合体によって形成され、各支持ベース単体は、上面が開放する容器に形成され、その周壁における集合側の端部に集合状態で支柱支持筒を形成するための支持筒分割体が設けられている支柱の支持ベース。
【請求項３】
上記支持ベース本体が合成樹脂を用いて形成され、その周壁に、植物等の支持部材を取り付ける挿入部が設けられている請求項１又は２に記載の支柱の支持ベース。
【発明の詳細な説明】
【０００１】
【発明の属する技術分野】
この発明は、宣伝等のためののぼり旗を道路や店頭等に配置するために用いる支柱の支持ベースに関する。
【０００２】
【従来の技術】
宣伝文句や店名等を記載したのぼり旗を道路や店頭等に配置して宣伝媒体とする方法は、付近を通過する人の目に付きやすいので宣伝等の効果に優れている。
【０００３】
のぼり旗を道路や店頭等に配置する場合、建物や道路上の構造物に支柱を固定していたのでは、法的に問題があり、このため、支持ベースを用いてのぼり旗を立てるようにしている。
【０００４】
支持ベースは、のぼり旗を支持した状態で、風を受けたのぼり旗が倒れるようなことがないように、十分な重量が要求される。
【０００５】
従来ののぼり旗の支持ベースとしては、例えば、特開２００２−２７８４８９号によって開示されているように、支持ベースを、合成樹脂を用いた内部中空の偏平な容器に形成し、その上面側中央部に支柱を挿入する支柱支持筒を設け、この容器の内部に水や砂を充填して重量をかせぐようにした構造になっている。
【０００６】
【発明が解決しようとする課題】
ところで、上記のような従来の支持ベースは、単なる重りとしての機能しかなく、宣伝の媒体として見た目に不体裁であり、見場が悪いという問題がある。
【０００７】
そこで、この発明の課題は、支持ベースに植物や小魚を育成することができるという新たな機能を付加し、美観の向上と宣伝効果の向上にも寄与することができる支柱の支持ベースを提供することにある。
【０００８】
【課題を解決するための手段】
上記のような課題を解決するため、請求項１の発明は、上面が開放する容器に形成された支持ベース本体の内部に、下端部を挿入した支柱を起立状に保持するための支柱支持筒を立設し、上記支持ベース本体の内部に支持筒の補強リブを設け、この補強リブで支持ベース本体の内部空間を複数に区切った構成を採用したものである。
【０００９】
請求項２の発明は、下端部を挿入した支柱を起立状に保持するための支柱支持筒を有する支持ベース本体が、複数の分割された支持ベース単体の集合体によって形成され、各支持ベース単体は、上面が開放する容器に形成され、その周壁における集合側の端部に集合状態で支柱支持筒を形成するための支持筒分割体が設けられている構成を採用したものである。
【００１０】
請求項３の発明は、上記支持ベース本体が合成樹脂を用いて形成され、その周壁に、植物等の支持部材を取り付ける挿入部が設けられている構成を採用したものである。
【００１１】
上記支持ベース本体の内部空間に土を充填すれば、のぼり旗が倒れるようなことがないようにするための重量が得られると共に、土に植物を植え込むことにより植木鉢となり、美観の向上が図れる。
【００１２】
なお、支持ベース本体を植物育成に用いる場合、支持ベース本体の底部には、水抜き孔を設けるようにすればよく、水抜き孔を設けるために下壁の一部を薄肉厚にして、穿孔が容易に行えるようにしておくと便利である。
【００１３】
また、支持ベース本体の内部空間に水を充填すれば、のぼり旗が倒れるようなことがないようにするための重量が得られると共に、水を利用して小魚の飼育が行え、宣伝効果の向上が可能になる。
【００１４】
小魚の飼育に用いる場合、支持ベース本体を透明な合成樹脂で形成すると、周囲から小魚が見えるので、動きのあるディスプレイとなる。
【００１５】
【発明の実施の形態】
以下、この発明の実施の形態を図示例と共に説明する。
【００１６】
図１乃至図３は、支持ベース１の第１の実施の形態を示し、支持ベース本体２が、耐候性と強度のある合成樹脂を用い、下壁３と環状の周壁４により上面が開放する容器に形成され、この支持ベース本体２の内部中央に、下端部を挿入した支柱５を起立状に保持するための垂直の支柱支持筒６を下壁３から一体に立設し、上記支持ベース本体２の内部に支持筒６の補強リブ７を設け、この補強リブ７で支持ベース本体２の内部空間を複数に区切った構造になっている。
【００１７】
上記支持ベース本体２は、図示の場合、周壁４が上部大径となるテーパ状の平面円形容器に形成し、四枚の補強リブ７で内部を四分割した例を示したが、支持ベース本体２の平面形状は、楕円、長円、四角、多角形等任意に選択できると共に、補強リブ７の枚数も自由に設定すればよく、支持ベース本体２と支柱支持筒６及び補強リブ７は、合成樹脂により一体成形されている。
【００１８】
上記支持ベース本体２における周壁４の外部には、植物等の支持部材８を取り付ける筒状の挿入部９が、所定の間隔で複数設けられている。
【００１９】
図４は、支持ベース１の第２の実施の形態を示し、上述した第１の実施の形態と同様、下端部を挿入した支柱５を起立状に保持するための支柱支持筒６を有する支持ベース本体２が、複数に分割された支持ベース単体２ａの集合体によって形成されている。
【００２０】
上記各支持ベース単体２ａは、合成樹脂を用い、下壁３ａと周壁４により上面が開放する容器に形成され、この周壁４が二つの結合用側壁４ａと外周壁４ｂからなり、両結合用側壁４ａの集合する端部に、各支持ベース単体２ａの集合状態で支柱支持筒６を形成するための支持筒分割体６ａが設けられている。
【００２１】
各支持ベース単体２ａは、図示の場合、平面円形容器を四分割したものを示し、両結合用側壁４ａが直角の配置になり、支持筒分割体６ａは四分の一の円形になっているが、支持ベース単体２ａの分割数は、二分割以上であればよく、また、支持ベース単体２ａは、集合時に支持ベース本体２の平面形状が、楕円、長円、多角形等になるような分割形状を任意に選択できる。
【００２２】
上記支持ベース単体２ａには、外周壁４ｂの外部に、植物等の支持部材８を取り付ける筒状の挿入部９が、所定の間隔で複数設けられている。この挿入部９は、外周壁４ｂの内側に設けるようにしてもよい。
【００２３】
各支持ベース単体２ａは、それぞれの結合用側壁４ａが重なるように集合することで支持ベース１を組み立てるものであり、必要ならば、結合用側壁４ａをボルト、ナットで結合したり、クリップで挟み込む等の手段で結合するほか、集合した支持筒分割体６ａにリングを外嵌することで、支柱支持筒６を保形するようにしてもよい。
【００２４】
この発明の支柱の支持ベース１は、上記のような構成であり、図１のように、支持ベース本体２の内部空間に土Ａや水を充填し、支柱支持筒６にのぼり旗１０の支柱５を差し込んで起立させ、のぼり旗１０を宣伝の媒体として使用する。
【００２５】
この場合、第１の実施の形態の支持ベース１は、目的の場所にそのまま設置し、また、第２の実施の形態の支持ベース１の場合は、所定数の支持ベース単体２ａを集合させることによって設置する。
【００２６】
上記支持ベース１に立てる支柱付きの部材は、図示で例示したような構造のぼり旗１０に限定されるものではなく、支柱５を立てて使用するものであればよい。
【００２７】
上記支持ベース本体２の内部空間に土Ａや水を充填すれば、のぼり旗１０が倒れるようなことがないようにするための重量が得られると共に、土Ａを充填した場合は、植物を植え込むと共に、外周に設けた挿入部９に支持部材８を取り付け、成長した植物をこの支持部材８に沿わせるようにすれば、支持ベース１が植木鉢となり、美観の向上が図れる。
【００２８】
上記のように、支持ベース１を植木鉢として用いた場合、雨水から植物を保護するため、支柱５の途中に傘のような覆い部材を取り付けるようにすればよい。
【００２９】
なお、支持ベース本体２を植物育成に用いる場合、支持ベース本体２又は支持ベース単体２ａの底部に、水抜き孔を設けるようにすればよく、水抜き孔を設けるために下壁３、３ａの一部を予め薄肉厚に成形して、穿孔が容易に行えるようにしておくと便利である。
【００３０】
また、支持ベース本体２の内部空間に水を充填すれば、水を利用して小魚の飼育が行え、宣伝効果の向上が可能になり、この場合、支持ベース本体２又は支持ベース単体２ａを透明な合成樹脂で形成すると、側面から小魚の鑑賞ができ、動きのあるディスプレイとなる。
【００３１】
【発明の効果】
以上のように、この発明によると、支持ベース本体の内部に下端部を挿入した支柱を起立状に保持するための支柱支持筒を立設し、上記支持ベース本体の内部に支持筒の補強リブを設け、この補強リブで支持ベース本体の内部空間を複数に区切ったので、支持ベース本体の内部空間に土や水を充填すれば、支柱が倒れるようなことがないようにするための重量が得られると共に、土を充填した場合は、植物を植え込むことにより植木鉢となり、また、水を充填すればこれを利用して小魚の飼育や鑑賞が行え、美観の向上と宣伝効果の向上が図れることになる。
【００３２】
また、支持ベース本体を複数の分割した支持ベース単体を集合させることによって形成すれば、移動や収納が嵩低くなって便利である。
【００３３】
更に、支持ベース本体の周壁に、植物等の支持部材を取り付ける挿入部を設けると、植え込んだ植物を支持部材に這わせることで、植木鉢として用いた場合にボリューム感のある豪華なディスプレイとなる。
【図面の簡単な説明】
【図１】第１の実施の形態の支持ベースを示す使用状態の正面図
【図２】第１の実施の形態の支持ベースを示す斜視図
【図３】同上の使用状態を示す一部切り欠き正面図
【図４】（ａ）は第２の実施の形態の支持ベースを示す平面図、（ｂ）は第２の実施の形態の支持ベースを形成する支持ベース単体の平面図
【符号の説明】
１    支持ベース
２    支持ベース本体
２ａ  支持ベース単体
３    下壁
３ａ  下壁
４    周壁
４ａ  結合用側壁
４ｂ  外周壁
５    支柱
６    支柱支持筒
７    補強リブ
８    支持部材
９    挿入部
１０  のぼり旗
【図１】
2004191470.tif 000003
【図２】
2004191470.tif 000004
【図３】
2004191470.tif 000005
【図４】
2004191470.tif 000006